(57)【要約】【課題】遊技盤を前面枠に圧着させるだけでなく、遊技盤を前面枠と平行な面内で移動させ正確な位置決めができるようにし、遊技盤の交換を容易ならしめる。【解決手段】前面枠１の開口３の一側辺に設けられた桟部材７に遊技盤２の一側縁を嵌合するとともに、該前面枠の開口の他側辺に支軸１５を固植し該支軸により係合片１６を該前面枠と平行な面内で回転自在なるように支承し、該係合片を回転操作することによって該係合片を遊技盤に圧着させるパチンコ機の遊技盤取付構造であって、外周面２１ａの曲率中心を略々前記支軸とする弧状部２１を前記係合片に一体に形成するとともに、遊技盤の他側縁に該弧状部と略々同曲率の弧状の切込２７を形成し、該係合片を回転操作することによって該弧状部を該遊技盤の切込２７に圧接させる。【選択図】図２
2006020966.tif 000002
【特許請求の範囲】
【請求項１】
前面枠に固植した支軸により係合片を該前面枠と平行な面内で回転自在なるように支承し、該係合片を回転操作することによって該係合片を遊技盤に圧着させるパチンコ機の遊技盤取付構造であって、外周面の曲率中心を略々前記支軸とする弧状部を前記係合片に一体に形成するとともに、遊技盤の周縁に該弧状部と略々同曲率の弧状の切込を形成し、該係合片を回転操作することによって該弧状部を該遊技盤の切込に圧接させることを特徴としたパチンコ機の遊技盤取付構造。
【請求項２】
前面枠の開口の一側辺に設けられた桟部材に遊技盤の一側縁を嵌合するとともに、該前面枠の開口の他側辺に支軸を固植し該支軸により係合片を該前面枠と平行な面内で回転自在なるように支承し、該係合片を回転操作することによって該係合片を遊技盤に圧着させるパチンコ機の遊技盤取付構造であって、外周面の曲率中心を略々前記支軸とする弧状部を前記係合片に一体に形成するとともに、遊技盤の他側縁に該弧状部と略々同曲率の弧状の切込を形成し、該係合片を回転操作することによって該弧状部を該遊技盤の切込に圧接させることを特徴としたパチンコ機の遊技盤取付構造。
【請求項３】
弧状の切込はその曲率中心から遊技盤の側縁の上下方向に亘って形成したものであり、係合片の弧状部を該切込の上下面に亘って圧接させるようにした請求項１または２に記載のパチンコ機の遊技盤取付構造。
【発明の詳細な説明】
【技術分野】
【０００１】
本発明はパチンコ機の前面枠に遊技盤を着脱自在に取付する構造に関するものである。
【背景技術】
【０００２】
周知のようにパチンコ機の遊技盤は、前面枠の前面または裏面に、クランプ，ラッチ等の種々の挟着手段によって着脱自在に取り付けられ、遊技盤が必要に応じ趣の異なる新規なものに交換できるように構成している。
また下記特許文献１に示されたパチンコ機では、プラスチック製の前面枠の内周縁四隅に保持盤部を形成し、遊技盤を該保持盤部上に重合させ、該保持盤部に形成された軸支孔に支持軸を貫挿し該支持軸を回転操作することにより該支持軸の両端部に形成された施錠片と係止盤とで該遊技盤を該保持盤部に圧着させる構成であった。
【特許文献１】特許第２５５１８８０号公報
【発明の開示】
【発明が解決しようとする課題】
【０００３】
ところで、従来の上記遊技盤取付構造では、前面枠に遊技盤を強固に圧着できるにしても、遊技盤が前面枠と平行な面内で多少ずれて圧着されてしまうことがあり、正確な位置に遊技盤を固定できないという問題があった。即ち、従来の遊技盤取付構造では、遊技盤を前面枠と平行な面内で寸法上多少の余裕がないと嵌めることができないので、遊技盤が前面枠と平行な面内で横方向や上下方向にずれたままとなり遊技盤を正確な位置に固定できないという問題があった。そこで本発明は、遊技盤を常に正確な位置に着脱自在に取り付け得るパチンコ機の遊技盤取付構造を提供しようとするものである。
【課題を解決するための手段】
【０００４】
そのために請求項１に記載したパチンコ機の遊技盤取付構造の発明は、前面枠に固植した支軸により係合片を該前面枠と平行な面内で回転自在なるように支承し、該係合片を回転操作することによって該係合片を遊技盤に圧着させるパチンコ機の遊技盤取付構造であって、外周面の曲率中心を略々前記支軸とする弧状部を前記係合片に一体に形成するとともに、遊技盤の周縁に該弧状部と略々同曲率の弧状の切込を形成し、該係合片を回転操作することによって該弧状部を該遊技盤の切込に圧接させることを特徴とする。
【０００５】
また請求項２に記載したパチンコ機の遊技盤取付構造の発明は、前面枠の開口の一側辺に設けられた桟部材に遊技盤の一側縁を嵌合するとともに、該前面枠の開口の他側辺に支軸を固植し該支軸により係合片を該前面枠と平行な面内で回転自在なるように支承し、該係合片を回転操作することによって該係合片を遊技盤に圧着させるパチンコ機の遊技盤取付構造であって、外周面の曲率中心を略々前記支軸とする弧状部を前記係合片に一体に形成するとともに、遊技盤の他側縁に該弧状部と略々同曲率の弧状の切込を形成し、該係合片を回転操作することによって該弧状部を該遊技盤の切込に圧接させることを特徴とする。
【０００６】
また請求項３に記載した発明は上記遊技盤取付構造において、弧状の切込はその曲率中心から遊技盤の側縁の上下方向に亘って形成したものであり、係合片の弧状部を該切込の上下面に亘って圧接させるようにしたことを特徴とする。
【発明の効果】
【０００７】
遊技盤を前面枠に圧着させるだけでなく、遊技盤を前面枠と平行な面内で移動させ正確な位置決めができることから、遊技盤の交換を容易ならしめる。
【実施例１】
【０００８】
次に本発明の実施例を図面に従い説明する。図１はこのパチンコ機を構成する前面枠１と遊技盤２とを裏面から見た斜視図、図２は遊技盤２を該前面枠１の裏面に取り付けた状態の斜視図、図３はその水平断面図である。前面枠１は開口３を有するように略方形枠状にプラスチックにより一体に成形されるもので、該開口３の下辺４は裏側に突堤状に形成され打球発射レール（図示せず）等が装着される。また、該開口３の一側辺５の裏側に金属板を横断面鉤状に折板して形成された桟部材７がビス７ａにより固着される。該桟部材７には折曲片９を形成することにより横断面コ字状なる溝部１０が適宜な上下間隔を離して２個所に形成され、該各折曲片９の内側に板バネ１１を設けている。なお、８は桟部材７の内面に適宜間隔を離して３個所に形成された突起である。また、１２は機構板（図示せず）を枢着するため桟部材７の裏側で適宜間隔を離して２個所に突設された支軸である。
【０００９】
また、前面枠１の開口３の他側辺６は桟部材７と相対するように突堤状に形成されその内側に段状部１３（図４に示す）を一体に形成し、該段状部に軸受部１４を適宜な上下間隔を離して２個所に形成し、該各軸受部に支軸１５を固植し、該支軸により係合片１６を該前面枠１と平行な面内で回転自在なるように支承している。
【００１０】
係合片１６は、図７，図８にも示したように、支軸１５が貫挿される透孔１７が基端部に形成された略扇形状の板体１８の先端角部に摘子部１９が形成され、該板体１８の裏面に球面状の突起２０が形成される。２１は該突起よりも基端部寄りにて板体１８に一体に形成された弧状部で、該弧状部はその外周面２１ａの曲率中心が略々前記支軸１５となるように形成される。また、該弧状部の両端２１ｂ，２１ｃは角丸状に形成されている。
【００１１】
また、遊技盤２は略矩形状の合板からなるもので、前面に種々の形態の入賞口２２，釘２３、および、液晶ディスプレイ２４等が設けられ、裏面にはディスプレイカバー２５，入賞球集合ケース２６等が設けられている。そして該遊技盤２の一側縁に前記弧状部２１と略々同曲率の弧状なるように切込２７が形成され、該切込２７はその曲率中心から遊技盤の側縁の上下方向に亘って形成されるようにしている。なお、２８は該切込２７より上方に連続するように上記係合片１６と略々同形に切り欠かれた切抜である。また、２９は該遊技盤２の他側縁に前記突起８と相対するように３個所に形成され凹窪である。
【００１２】
そして、該遊技盤２の一側縁を桟部材７の溝部１０に差し込み、凹窪２９を突起８に合致させるとともに、板バネ１１の弾性により該遊技盤２の一側縁を挟着し、該遊技盤２の他側縁は段状部１３上に当接させる。その際、係合片１６は図５に示したように上向き姿勢にしておくことで切抜２８中に退避され該係合片１６と該遊技盤２との衝突が避けられる。そして、摘子部１９を手で回して該係合片１６を図５，図６に矢印で示した方向に回転操作することにより、突起２０を該遊技盤２の裏面に圧着させると同時に、弧状部２１を前記切込２７に圧着させる。このとき、切込２７はその曲率中心から遊技盤の側縁の上下方向に亘って形成されていることから弧状部２１は該遊技盤２を桟部材７の側に向けて押圧するだけでなく上下方向にも押圧し、該遊技盤２を位置決めさせる。このため、係合片１６を回転操作すれば、突起２０が遊技盤２を前面枠１の裏面に圧着させるだけでなく、弧状部２１が該遊技盤２を横方向および上下方向にも位置決めさせ、該遊技盤２を常に正確な位置に固着することができる。
【００１３】
なお、この実施例では、遊技盤２の一側縁が桟部材７によって保持されるようにしたが、この側縁についても係合片１６を設けて保持させるようにしても、或いは他の形態の保持手段を採ることも可能である。また、遊技盤２の上縁や下縁に係合片１６を設けて保持させるようにしてもよい。
またこの実施例では遊技盤２を前面枠１の裏面側に取り付ける構成を説明したが、前面枠１の表面側に遊技盤を取り付ける場合にもこの実施例と同様の構成とすることができる。
【００１４】
要するにこの係合片１６は、遊技盤２を前面枠１に圧着するとともにその回転操作に伴い弧状部２１が遊技盤２を前面枠と平行な面内で移動させ、弧状部２１が弧状の切込２７に密接することで正確な位置決めができるうえに、反対方向に回転操作すれば遊技盤２を簡単に取り外すことができるので、遊技盤の交換を容易にする。
【００１５】
また、この実施例に示した弧状部２１はその外周面２１ａを支軸１５を曲率中心とする円弧状に形成したが、該外周面２１ａを該係合片１６の回転操作方向に準じて外径が漸次拡大するような形態にする（例えば僅かながら偏心させる）ことにより、該係合片を回転操作するに従い切込２７を一層強く圧接するようにできる。
【００１６】
また、図９に示した係合片１６は、弧状部２１の至端部に折曲状なるストッパ３０を形成したもので、該係合片１６は図１０に示したように軸受部１４の外周に突部３１を形成し、該係合片１６を矢印の方向に回転操作したとき該ストッパ３０が該突部に衝止することで該係合片１６の回転操作が停止されるようにしたものであり、これによって該係合片１６を過剰に回転操作することが防止される。
【図面の簡単な説明】
【００１７】
【図１】本発明の実施例を示すパチンコ機の前面枠と遊技盤の斜視図。
【図２】本発明の実施例を示すパチンコ機の前面枠に遊技盤を取付した状態の斜視図。
【図３】図２の要部の水平断面図。
【図４】図２の要部の拡大図。
【図５】本発明の実施例を示す遊技盤取付構造の係合片を係合させる前の正面図。
【図６】本発明の実施例を示す遊技盤取付構造の係合片を係合させたときの正面図。
【図７】本発明の実施例を示す遊技盤取付構造の係合片の斜視図。
【図８】図７の係合片の正面図。
【図９】本発明に係る係合片の他の実施例を示した斜視図。
【図１０】本発明の他の実施例を示す遊技盤取付構造の係合片を係合させたときの正面図。
【符号の説明】
【００１８】
１        前面枠
２        遊技盤
３        開口
５        一側辺
６        他側辺
７        桟部材
１０      溝部
１３      段状部
１４      軸受部
１５      支軸
１６      係合片
１７      透孔
１８      板体
１９      摘子部
２０      突起
２１      弧状部
２１ａ    外周面
２７      切込
２８      切抜
【図１】
2006020966.tif 000003
【図２】
2006020966.tif 000004
【図３】
2006020966.tif 000005
【図４】
2006020966.tif 000006
【図５】
2006020966.tif 000007
【図６】
2006020966.tif 000008
【図７】
2006020966.tif 000009
【図８】
2006020966.tif 000010
【図９】
2006020966.tif 000011
【図１０】
2006020966.tif 000012